(57)【要約】【課題】連続して炊飯を行う時に、本体冷却手段により本体内部を冷却し、最初の炊飯終了から次の炊飯開始までの時間を短縮し、決められた時間内に多くのご飯を炊飯すること。【解決手段】商用電源２１を、整流回路２２により整流し、その直流電力をインバ−タ回路２５により高周波電力に変換し、加熱手段２４により炊飯容器となる鍋２３を加熱し、マイクロコンピュータ２８は、炊飯動作以外の時も本体冷却手段３１により本体内部の冷却を行うように制御する機能を有する【選択図】　図１
2004089250.tif 000002
【特許請求の範囲】
【請求項１】
炊飯容器となる鍋と、前記鍋を加熱する加熱手段と、入力電流を制御する制御手段と、本体内部を冷却する本体冷却手段と、炊飯を開始させる炊飯開始スイッチを有する操作手段と、マイクロコンピュータとを備え、炊飯動作以外の時も前記本体冷却手段により本体内部の冷却をする機能を有する炊飯器。
【請求項２】
冷却を開始させる冷却開始スイッチを操作手段に有し、炊飯動作以外の時に、前記冷却開始スイッチが押されると、本体冷却手段により本体内部を冷却するように制御する機能を有する請求項１に記載の炊飯器。
【請求項３】
炊飯動作以外の時の本体冷却手段による冷却時間があらかじめ設定された時間を経過すると冷却を終了するように制御する機能を有する請求項１または２に記載の炊飯器。
【請求項４】
蓋部分に蓋冷却手段を備え、冷却動作時には、前記蓋冷却手段および本体冷却手段を動作させて、蓋部分および本体内部を冷却するように制御する機能を有する請求項１〜３のいずれか１項に記載の炊飯器。
【請求項５】
加熱コイルにより構成した加熱手段と、加熱手段を加熱するインバータ回路と、インバータ回路をオン／オフするスイッチング素子の温度を検知するスイッチング素子温度検知手段を備え、冷却動作時には、本体冷却手段を動作させて、本体内部を冷却し、前記スイッチング素子温度検知手段により検知した温度があらかじめ設定された閾値を下回ると、冷却を終了するように制御する機能を有する請求項１〜４のいずれか１項に記載の炊飯器。
【請求項６】
本体内部の雰囲気温度を検知する雰囲気温度検知手段を備え、冷却動作時には、本体冷却手段を動作させて、本体内部を冷却し、前記雰囲気温度検知手段により検知した温度があらかじめ設定された閾値を下回ると、冷却を終了するように制御する機能を有する請求項１〜５のいずれか１項に記載の炊飯器。
【請求項７】
使用者の聴覚に働きかけて認知させる発音手段を備え、冷却が終了すると、前記発音手段により使用者に報知するように制御する機能を有する請求項１〜６のいずれか１項に記載の炊飯器。
【請求項８】
スイッチング素子温度検知手段と、雰囲気温度検知手段のうち、いずれかの温度検知手段を持ち、冷却開始からあらかじめ設定された時間が経過し、かつ、前記スイッチング素子温度検知手段と、前記雰囲気温度検知手段により検知した値のうち、いずれかが、あらかじめ設定された閾値を下回ると、冷却を終了するように制御する機能を有する請求項１または２または７に記載の炊飯器。
【請求項９】
蓋の開閉を検知する蓋開閉検知手段と、使用者の聴覚に働きかけて認知させる発音手段を備え、冷却開始スイッチを押して冷却を開始し、前記蓋開閉検知手段により蓋が閉じているのを検知した時、前記発音手段によりエラー報知を行い、使用者に知らせる機能を有する請求項１〜８のいずれか１項に記載の炊飯器。
【請求項１０】
連続して炊飯動作を行うかどうかを選択する連続炊飯選択手段と冷却を開始させる冷却開始スイッチを有し、前記連続炊飯選択手段により、連続炊飯を選択し、前記冷却開始スイッチを押して冷却を開始すると、冷却動作終了後、蓋開閉検知手段により蓋が閉じられていると検知すると、自動的に炊飯を開始する機能を有する請求項２〜９のいずれか１項に記載の炊飯器。
【請求項１１】
連続炊飯選択手段により、連続炊飯を選択し、冷却開始スイッチを押して冷却動作終了後、あらかじめ設定された時間が経過しても、蓋開閉検知手段により蓋が閉じられたのを検知しない時、発音手段により使用者に報知する機能を有する請求項２〜１０のいずれか１項に記載の炊飯器。
【請求項１２】
鍋が炊飯器にセットされているかどうかを検知する鍋有無検知手段を有し、冷却開始スイッチが押された時には、前記鍋有無検知手段による鍋の有無を検知しない機能を有する請求項２〜１１のいずれか１項に記載の炊飯器。
【請求項１３】
連続炊飯選択手段により連続炊飯を選択し、冷却開始スイッチが押された時には、鍋有無検知手段により鍋の有無を検知する機能を有する請求項２〜１２のいずれか１項に記載の炊飯器。
【請求項１４】
炊飯中に冷却開始スイッチが押された時には、発音手段により使用者にエラー報知を行った後、炊飯動作を継続する機能を有する請求項２〜１３のいずれか１項に記載の炊飯器。
【請求項１５】
連続して炊飯動作を行うかどうかを選択する連続炊飯選択手段を有し、前記連続炊飯選択手段により、連続炊飯を選択し、炊飯開始スイッチを押して炊飯を開始すると、炊飯動作以外の時も前記本体冷却手段による本体内部の冷却を行うように制御する機能を有する請求項３〜７または１４のいずれか１項に記載の炊飯器。
【請求項１６】
発光ダイオードや液晶等、人の視覚に訴える表示手段を有し、本体冷却手段の動作状態を前記表示手段に表示する構成とした請求項１〜１５のいずれか１項に記載の炊飯器。
【発明の詳細な説明】
【０００１】
【発明の属する技術分野】
本発明は、冷却手段を用いて本体内部を冷却する機能を有する炊飯器に関するものである。
【０００２】
【従来の技術】
従来、この種の炊飯器は、図１５に示すように構成していた。以下、その構成について説明する。
【０００３】
インバータ回路５により高周波電力に変換し、加熱手段４により炊飯容器となる鍋３を加熱するよう構成している。入力電流検知手段６は商用電源１からの入力電流を検知するものである。操作手段１０は炊飯開始スイッチ９を有し、マイクロコンピュータ８に接続している。制御手段７は、入力電流を制御するものであらかじめ設定された入力電流制御値Ｉｃを有し、入力電流検知手段６の出力を入力し、インバータ回路５の動作を制御するよう構成している。時間計測手段１１は経過時間を計測するものでマイクロコンピュータ８に入力している。内蓋温度検知手段１２は内蓋の温度を検知するもので、鍋底温度検知手段１２ａは鍋底の温度を検知するもので、それぞれ検知した値をマイクロコンピュータ８に入力している。本体冷却手段１３は炊飯器内部を冷却するものである。
【０００４】
上記構成において動作を説明する。炊飯開始スイッチ９が押されると本体冷却手段１３により冷却を開始し、規定の炊飯シーケンスに基づき、内蓋温度検知手段１２、鍋底温度検知手段１２ａ、時間計測手段１１により検知した値に応じて炊飯を行う。ご飯が炊き上がると、炊飯終了と同時に本体冷却手段１２による冷却をストップさせるので、炊飯器内部の発熱部品などの温度降下は自然冷却である為に遅くなり、そのまま連続して炊飯を行うと発熱部品の温度が使用可能温度を超えてしまうという問題があり、加えて、内蓋温度検知手段１２および鍋底温度検知手段１２ａによる検知温度が高い為に本来の炊飯シーケンスで炊飯することができず、ご飯の出来上がりがひどくなるといった問題があった。そこで連続して炊飯しても発熱部品等の温度が使用上問題なく、本来の炊飯シーケンスで炊飯できる温度まで下がったと判断できる状態を、内蓋温度検知手段１２により検知した温度があらかじめ設定された閾値を下回った時と設定し、その閾値を下回るまでは、炊飯動作を開始しない様に制御していた。
【０００５】
【発明が解決しようとする課題】
しかしながら、このような従来の炊飯器では、炊飯終了後、連続して炊飯を行おうとした時、最初の炊飯終了から次の炊飯開始までの時間が、非常に長くなるという問題があった。
【０００６】
本発明は、上記従来の課題を解決するもので、炊飯動作時以外も冷却手段による本体内部の発熱部品等の冷却を行い、連続して炊飯する時の最初の炊飯終了から次の炊飯開始までの時間を短縮することを目的としている。
【０００７】
【課題を解決するための手段】
本発明は上記目的を達成するために、炊飯容器となる鍋と、前記鍋を加熱する加熱手段と、入力電流を制御する制御手段と、本体内部を冷却する本体冷却手段と、炊飯を開始させる炊飯開始スイッチを有する操作手段と、マイクロコンピュータとを備え、炊飯動作以外の時も前記本体冷却手段により本体内部の冷却をする機能を有するものである。
【０００８】
これにより連続して炊飯を行おうとした時には、最初の炊飯終了から次の炊飯開始までの時間を短縮することができ、決められた時間により多くのご飯を炊飯することができる。
【０００９】
【発明の実施の形態】
本発明の請求項１に記載の発明は、炊飯容器となる鍋と、前記鍋を加熱する加熱手段と、入力電流を制御する制御手段と、本体内部を冷却する本体冷却手段と、炊飯を開始させる炊飯開始スイッチを有する操作手段と、マイクロコンピュータとを備え、炊飯動作以外の時も前記本体冷却手段により本体内部の冷却をする機能を有するものであり、連続して炊飯を行おうとした時には、最初の炊飯終了から次の炊飯開始までの時間を短縮することができ、決められた時間に多くのご飯を炊飯することができる。
【００１０】
請求項２に記載の発明は、上記請求項１に記載の発明において、冷却を開始させる冷却開始スイッチを操作手段に有し、炊飯動作以外の時に、前記冷却開始スイッチが押されると、本体冷却手段により本体内部を冷却するように制御する機能を有するものであり、連続して炊飯を行おうとした時には、最初の炊飯終了から次の炊飯開始までの時間をさらに短縮することができ、決められた時間にさらに多くのご飯を炊飯することができる。
【００１１】
請求項３に記載の発明は、上記請求項１〜２に記載の発明において、炊飯動作以外の時の本体冷却手段による冷却時間があらかじめ設定された時間を経過すると冷却を終了するように制御する機能を有するものであり、連続して炊飯を行おうとした時には、最初の炊飯終了から次の炊飯開始までの時間を短縮することができ、決められた時間に多くのご飯を炊飯することができる。
【００１２】
請求項４に記載の発明は、上記請求項１〜３に記載の発明において、蓋部分に蓋冷却手段を備え、冷却動作時には、蓋冷却手段および本体冷却手段を動作させて、蓋部分および本体内部を冷却するように制御する機能を有するものであり、連続して炊飯を行おうとした時には、最初の炊飯終了から次の炊飯開始までの時間をさらに短縮することができ、決められた時間にさらに多くのご飯を炊飯することができる。
【００１３】
請求項５に記載の発明は、上記請求項１〜４に記載の発明において、加熱コイルにより構成した加熱手段と、加熱手段を加熱するインバータ回路と、インバータ回路をオン／オフするスイッチング素子の温度を検知するスイッチング素子温度検知手段を備え、冷却動作時には、本体冷却手段を動作させて、本体内部を冷却し、前記スイッチング素子温度検知手段により検知した温度があらかじめ設定された閾値を下回ると、冷却を終了するように制御する機能を有するものであり、発熱部品のうち最も温度上昇が大きい部品の一つであるスイッチング素子の温度が炊飯できる温度に下がったことを検知して、冷却を終了するので、電子部品への負担も軽減することができ、そのうえ、最初の炊飯終了から次の炊飯開始までの時間をさらに短縮することができ、決められた時間にさらに多くのご飯を炊飯することができる。
【００１４】
請求項６に記載の発明は、上記請求項１〜５に記載の発明において、本体内部の雰囲気温度を検知する雰囲気温度検知手段を備え、冷却動作時には、本体冷却手段を動作させて、本体内部を冷却し、前記雰囲気温度検知手段により検知した温度があらかじめ設定された閾値を下回ると、冷却を終了するように制御する機能を有するものであるから、電子部品への負担も軽減することができ、そのうえ、最初の炊飯終了から次の炊飯開始までの時間をさらに短縮することができ、決められた時間にさらに多くのご飯を炊飯することができる。
【００１５】
請求項７に記載の発明は、上記請求項１〜６に記載の発明において、使用者の聴覚に働きかけて認知させる発音手段を備え、冷却が終了すると、発音手段により使用者に報知するように制御する機能を有するものであるから、使用者が炊飯器から離れていても発音手段により知らせてくれ、冷却を行っている間に別の作業をすることができ、時間を非常に有効に使用することができる。
【００１６】
請求項８に記載の発明は、上記請求項１〜２もしくは請求項７に記載の発明において、あらかじめ設定された時間が経過し、かつ、スイッチング素子温度検知手段と、雰囲気温度検知手段により検知した値のうち、いずれかが、あらかじめ設定された閾値を下回ると、冷却を終了するように制御する機能を有するものであるから、冷却を終了するべきタイミングを時間のみあるいは温度のみではなく、時間と温度の両方があらかじめ設定された値に達した時としているので、冷却終了のタイミングに対する信頼性がさらに向上し、発熱部品に負担をかけることがないので、炊飯器の寿命を長くすることができる。また、より安価な部品を使用することができるので、炊飯器を安価に提供することができる。
【００１７】
請求項９に記載の発明は、上記請求項１〜８に記載の発明において、蓋の開閉を検知する蓋開閉検知手段と、使用者の聴覚に働きかけて認知させる発音手段を備え、冷却開始スイッチを押して冷却を開始し、前記蓋開閉検知手段により蓋が閉じているのを検知した時、前記発音手段によりエラー報知を行い、使用者に知らせる機能を有するものであるから、使用者が冷却をしようとしている時にうっかりして、蓋を開けるのを忘れた時には、前記発音手段により使用者に報知を行うことで、使用者はそのことに気づき、うっかりミスにより冷却時間が長くなるのを防ぐことができる。そのことにより、使用者は安心して、冷却機能を使用することができる。
【００１８】
請求項１０に記載の発明は、上記請求項２〜９に記載の発明において、連続して炊飯動作を行うかどうかを選択する連続炊飯選択手段と冷却を開始させる冷却開始スイッチを有し、前記連続炊飯選択手段により、連続炊飯を選択し、前記冷却開始スイッチを押して冷却を開始すると、冷却動作終了後、蓋開閉検知手段により蓋が閉じられていると検知すると、自動的に炊飯を開始する機能を有するものであるから、連続炊飯時に最初の炊飯終了から次の炊飯開始までの時間を極限までに短縮することができる。
【００１９】
請求項１１に記載の発明は、上記請求項２〜１０に記載の発明において、連続炊飯選択手段により、連続炊飯を選択し、冷却開始スイッチを押して冷却動作終了後、あらかじめ設定された時間が経過しても、蓋開閉検知手段により蓋が閉じられたのを検知しない時、発音手段により使用者に報知する機能を有するものであるから、使用者がうっかりして蓋を閉じるのを忘れていた時には、使用者はそのことに気づき時間的なロスを最小限に抑えることができる。
【００２０】
請求項１２に記載の発明は、上記請求項２〜１１に記載の発明において、鍋が炊飯器にセットされているかどうかを検知する鍋有無検知手段を有し、冷却開始スイッチが押された時には、前記鍋有無検知手段による鍋の有無を検知しない機能を有するものであるから、炊飯器に鍋をセットしていない状態で冷却を行うことができ、その間に鍋を洗ったり、米を研ぐ等の次の炊飯に備えた作業を行うことができるので、連続炊飯時の最初の炊飯終了から次の炊飯開始までの時間をさらに短縮することができ、決められた時間にさらに多くのご飯を炊飯することができる。
【００２１】
請求項１３に記載の発明は、上記請求項２〜１２に記載の発明において、連続炊飯選択手段により連続炊飯を選択し、冷却開始スイッチが押された時には、鍋有無検知手段により鍋の有無を検知する機能を有するものであるから、うっかりして鍋をセットし忘れた時でも、炊飯開始時までそのことに気づかないのではなく、すぐに気づくことができるので、鍋をセットしているつもりが全然できていなかったということを防止することができ、うっかりミスをした時の時間的ロスを最小限に抑えることができる。
【００２２】
請求項１４に記載の発明は、上記請求項２〜１３に記載の発明において、炊飯中に冷却開始スイッチが押された時には、発音手段により報知を行い、炊飯動作を継続する機能を有するものであるから、使用者が誤った使用をした時には注意をうながすので、使用者はそのことに気づくことができ、冷却機能を有効に活用することができる。
【００２３】
請求項１５に記載の発明は、請求項３〜７および請求項１４に記載の発明において、連続して炊飯動作を行うかどうかを選択する連続炊飯選択手段を有し、前記連続炊飯選択手段により、連続炊飯を選択し、炊飯開始スイッチを押して炊飯を開始すると、炊飯動作以外の時も前記本体冷却手段による本体内部の冷却を行うように制御する機能を有するものであり、連続して炊飯を行おうとした時には、最初の炊飯終了から次の炊飯開始までの時間をさらに短縮することができ、決められた時間にさらに多くのご飯を炊飯することができる。
【００２４】
請求項１６に記載の発明は、請求項１〜１５に記載の発明において、発光ダイオードや液晶等、人の視覚に訴える表示手段を有し、本体冷却手段の動作状態を前記表示手段に表示する機能を有するものであり、本体冷却手段の動作状態が目視により容易に確認することができ、使用者の立場に立った、より使いやすい炊飯器を提供することができる。
【００２５】
【実施例】
以下、本発明の実施例について、図面を参照しながら説明する。
【００２６】
（実施例１）
図１に示すように、商用電源２１は、整流回路２２により整流し、その直流電力をインバータ回路２５により高周波電力に変換し、加熱手段２４により炊飯容器となる鍋２３を加熱するよう構成している。入力電流検知手段２６は商用電源２１からの入力電流を検知するものである。
【００２７】
操作手段３０は炊飯開始スイッチ２９を有し、マイクロコンピュータ２８に接続している。制御手段２７は、入力電流を制御するもので、あらかじめ設定された入力電流制御値Ｉｃを有し、入力電流検知手段２６の出力を入力し、インバータ回路２５の動作を制御するよう構成している。時間計測手段３２は経過時間を計測するものでマイクロコンピュータ２８に入力している。内蓋温度検知手段３２ａは内蓋の温度を検知するもので、鍋底温度検知手段３２ｂは鍋底の温度を検知するもので、それぞれ検知した値をマイクロコンピュータ２８に入力している。本体冷却手段３１は炊飯器内部の発熱部品を冷却するもので、ファンモータで構成され、インバータ回路の近くに配置されている。
【００２８】
上記構成において、図１を参照しながら動作を説明する。図１において、マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行うように制御している。
【００２９】
また、本体冷却手段３１による冷却は、炊飯動作開始前であっても良い。その時には、炊飯開始スイッチ２９が押されると、本体冷却手段３１を動作させて本体内部の冷却を行い、炊飯可能な状態になれば、炊飯動作を開始するように制御する。ここで炊飯可能な状態とは、時間計測手段３２により検知した冷却開始からの経過時間があらかじめ設定された閾値ｔ０を経過した時でも良いし、加熱手段２４を加熱制御するインバータ回路２５をオン／オフさせるＩＧＢＴなどから構成されるスイッチング素子の温度を検知するスイッチング素子温度検知手段を有してスイッチング素子温度検知手段により検知した値があらかじめ設定された閾値Ｔｓを下回った時でも良いし、本体内に配置され本体内部の雰囲気温度を検知する雰囲気温度検知手段を有して雰囲気温度検知手段により検知した値があらかじめ設定された閾値Ｔｆを下回った時でも良い。
【００３０】
このように本実施例によれば、炊飯動作以外の時も本体内部の冷却を行うので、本体内部の雰囲気温度や発熱部品の温度を短時間で下げることができ、炊飯終了直後でも、すぐに炊飯が可能な状態にすることができる。そして、連続して炊飯を行おうとした時には、最初の炊飯終了から次の炊飯開始までの時間を短縮することができ、決められた時間により多くのご飯を炊飯することができ、炊飯作業の生産性を大きく向上することができる。
【００３１】
その結果、例えば飲食店などで、必要な炊飯量を確保するのに複数の炊飯器が必要な場合、炊飯器の台数を削減することができるし、炊飯器が一台の場合でも、炊飯作業を効率的に行うことができる。
【００３２】
（実施例２）
冷却開始スイッチ３３は本体内部の冷却を開始させるもので操作手段３０に配置されている。他の構成は上記実施例１と同じであり、同一符号を付して説明を省略する。
【００３３】
上記構成において、図２を参照しながら動作を説明する。図２において、マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了すると同時に本体冷却手段３１を停止させる。そこで、冷却開始スイッチ３３が押されると、本体冷却手段３１を動作させて、本体内部の冷却を開始する。また、冷却開始スイッチ３３は炊飯終了直後だけでなく、炊飯動作以外の時であれば有効であるのは言うまでもない。
【００３４】
このように本実施例によれば、冷却開始スイッチを押せば炊飯終了後も本体内部の冷却を行うことができるので、本体内部の雰囲気温度や発熱部品の温度を短時間で下げることができ、炊飯終了直後でも、すぐに炊飯が可能な状態にすることができる。そして、連続して炊飯を行おうとした時には、最初の炊飯終了から次の炊飯開始までの時間を短縮することができ、決められた時間により多くのご飯を炊飯することができ、炊飯作業の生産性を大きく向上することができる。
【００３５】
（実施例３）
構成は上記実施例１と同じであり、同一符号を付して説明を省略する。
【００３６】
上記構成において、図１を参照しながら動作を説明する。図１において、マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行い、時間計測手段３２により検知した炊飯終了からの経過時間があらかじめ設定された閾値ｔ１を経過すると、本体冷却手段３１を停止させて冷却を終了する。
【００３７】
また、本体冷却手段３１による冷却は、炊飯動作開始前であっても良い。その時には、炊飯開始スイッチ２９が押されると、本体冷却手段３１により冷却を開始し、時間計測手段３２により検知した冷却開始からの経過時間があらかじめ設定された閾値ｔ０を経過すると、炊飯動作を開始するように制御する。
【００３８】
このように本実施例によれば、炊飯動作以外の時も本体内部の冷却を行うので、本体内部の雰囲気温度や発熱部品の温度を短時間で下げることができ、炊飯終了直後でも、すぐに炊飯が可能な状態にすることができる。そして、連続して炊飯を行おうとした時には、最初の炊飯終了から次の炊飯開始までの時間を短縮することができ、決められた時間により多くのご飯を炊飯することができ、炊飯作業の生産性を大きく向上することができる。
【００３９】
（実施例４）
蓋冷却手段３４は蓋部分を冷却するもので、ファンモータで構成されており、蓋部分に配置されている。他の構成は上記実施例１と同じであり、同一符号を付して説明を省略する。
【００４０】
上記構成において、図３を参照しながら動作を説明する。図３において、マイクロコンピュータ２８は、炊飯開始スイッチ２９が押されると、本体冷却手段３１あるいは蓋冷却手段３４を動作させて本体内部あるいは蓋部分を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても、本体冷却手段３１あるいは蓋冷却手段３４を動作させて、本体内部あるいは蓋部分の冷却を行う。
【００４１】
また、本体冷却手段３１あるいは蓋冷却手段３４による冷却は、炊飯動作開始前であっても良い。その時には、炊飯開始スイッチ２９が押されると、本体冷却手段３１あるいは蓋冷却手段３４により冷却を行ってから炊飯動作を開始するように制御する。
【００４２】
また、蓋冷却手段３４は、蓋部分の冷却だけでなく鍋内にあるご飯の余分な蒸気を外へ排出したりする機能を有していても良い。そして、その構成は、上昇する弁構造だけでも良く、あるいはファンモータと弁構造の両方を採用したものであっても良い。
【００４３】
このように本実施例によれば、炊飯動作以外の時も本体内部あるいは蓋部分の冷却を行うので、本体内部の雰囲気温度や発熱部品に加えて、蓋部分の温度を短時間で下げることができ、すぐに炊飯が可能な状態にすることができる。そして、連続して炊飯を行おうとした時には、最初の炊飯終了から次の炊飯開始までの時間を短縮することができ、決められた時間により多くのご飯を炊飯することができ、炊飯作業の生産性をさらに大きく向上することができる。
【００４４】
その結果、さらにおいしいごはんを提供することができるとともに、商品の寿命をさらに長くすることができる。
【００４５】
（実施例５）
スイッチング素子温度検知手段３５は、加熱手段２４を加熱制御するインバータ回路２５をオン／オフさせるＩＧＢＴなどから構成されるスイッチング素子の温度を検知するもので、検知値をマイクロコンピュータ２８に入力している。スイッチング素子は発熱部品のうちでも、最も温度上昇が大きい部品のひとつであり、その素子の温度が低下すれば炊飯器本体の温度が低下したと判断することができる。他の構成は上記実施例１と同じであり、同一符号を付して説明を省略する。
【００４６】
上記構成において、図４を参照しながら動作を説明する。マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行い、スイッチング素子温度検知手段３５により検知した値があらかじめ設定された閾値Ｔｓを下回ると、炊飯可能な状態になったと判断し、本体冷却手段３１を停止させて冷却を終了する。
【００４７】
また、本体冷却手段３１による冷却は、炊飯動作開始前であっても良い。その時には、炊飯開始スイッチ２９が押されると、本体冷却手段３１により冷却を開始し、スイッチング素子温度検知手段３５により検知した値があらかじめ設定された閾値Ｔｓを下回ると、炊飯動作を開始するように制御する。
【００４８】
このように本実施例によれば、発熱部品のうち最も温度上昇が大きい部品の一つであるスイッチング素子の温度により冷却終了の判定を行うので、電子部品への負担を軽減することができ、そのうえ、必要以上に冷却を継続しないから、最初の炊飯終了から次の炊飯開始までの時間をさらに短縮することができ、決められた時間にさらに多くのご飯を炊飯することができる。
【００４９】
（実施例６）
雰囲気温度検知手段３６は、本体内に配置され、本体内部の雰囲気温度を検知するもので、検知値をマイクロコンピュータ２８に入力している。他の構成は上記実施例１と同じであり、同一符号を付して説明を省略する。
【００５０】
上記構成において、図５を参照しながら動作を説明する。マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行い、雰囲気温度検知手段３６により検知した値があらかじめ設定された閾値Ｔｆを下回ると、炊飯可能な状態になったと判断し、本体冷却手段３１を停止させて冷却を終了する。
【００５１】
また、本体冷却手段３１による冷却は、炊飯動作開始前であっても良い。その時には、炊飯開始スイッチ２９が押されると、本体冷却手段３１により冷却を開始し、雰囲気温度検知手段３６により検知した値があらかじめ設定された閾値Ｔｆを下回ると、炊飯動作を開始するように制御する。
【００５２】
このように本実施例によれば、本体内部の雰囲気温度により冷却終了の判定を行うので、電子部品への負担を軽減することができ、そのうえ、必要以上に冷却を継続しないから、最初の炊飯終了から次の炊飯開始までの時間をさらに短縮することができ、決められた時間にさらに多くのご飯を炊飯することができる。
【００５３】
（実施例７）
発音手段３７は、使用者の聴覚に働きかけて認知させるものでブザー等により構成されている。他の構成は上記実施例１と同じであり、同一符号を付して説明を省略する。
【００５４】
上記構成において、図６を参照しながら動作を説明する。マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行い、炊飯可能な状態になったと判断すれば、本体冷却手段３１を停止させて冷却を終了し、発音手段３７により終了報知を行う。
【００５５】
ここで、炊飯可能な状態の判断は、時間計測手段３２により検知した炊飯終了からの経過時間があらかじめ設定された閾値ｔ１を経過した時でも良いし、スイッチング素子温度検知手段３５を有して前記スイッチング素子温度検知手段３５により検知した値があらかじめ設定された閾値Ｔｓを下回った時でも良いし、雰囲気温度検知手段３６を有して前記雰囲気温度検知手段３６により検知した値があらかじめ設定された閾値Ｔｆを下回った時でも良い。
【００５６】
また、本体冷却手段３１による冷却は、炊飯動作開始前であっても良い。その時には、炊飯開始スイッチ２９が押されると、本体冷却手段３１により冷却を開始し、炊飯可能な状態になったと判断すれば、発音手段３７により終了報知を行い、炊飯動作を開始するように制御する。
【００５７】
また、前記発音手段３７の代わりに発光ダイオードや液晶等、人の視覚に訴える表示手段を用いて使用者に報知を行っても良いし、前記発音手段３７と前記表示手段の両方を用いて、使用者に報知を行っても良い。
【００５８】
このように本実施例によれば、冷却終了時に発音手段により終了報知を行うので、使用者は炊飯器の近くにいなくても冷却の終了を容易に認知することができる。したがって、使用者はその間に炊飯器から離れて、他の作業を行うことができるので、時間を有効に活用することが出来る。
【００５９】
（実施例８）
スイッチング素子温度検知手段３５は、インバータ回路２５をオン／オフさせるＩＧＢＴなどから構成されるスイッチング素子の温度を検知するもので、雰囲気温度検知手段３６は、本体内に配置され、本体内部の雰囲気温度を検知するもので、いずれも検知値をマイクロコンピュータ２８に入力している。他の構成は上記実施例１と同じであり、同一符号を付して説明を省略する。
【００６０】
上記構成において、図７を参照しながら動作を説明する。マイクロコンピュータ２８は、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行い、時間計測手段３２により検知した炊飯終了からの経過時間があらかじめ設定された閾値ｔ１を経過し、かつスイッチング素子温度検知手段３５あるいは雰囲気温度検知手段３６のいずれかの検知手段により検知した値があらかじめ設定された閾値ＴｓあるいはＴｆを下回ると、炊飯可能な状態になったと判断し、本体冷却手段３１および蓋冷却手段３４を停止させて冷却を終了する。
【００６１】
また、本体冷却手段３１による冷却は、炊飯動作開始前であっても良い。その時には、炊飯開始スイッチ２９が押されると、本体冷却手段３１により冷却を開始し、時間計測手段３２により検知した冷却開始からの経過時間があらかじめ設定された閾値ｔ０を経過し、かつスイッチング素子温度検知手段３５あるいは雰囲気温度検知手段３６のいずれかの検知手段により検知した値があらかじめ設定された閾値ＴｓあるいはＴｆを下回ると、炊飯動作を開始するように制御する。
【００６２】
このように本実施例によれば、経過時間と本体内部の温度、両方の検知値により冷却終了の判定を行うので、さらに電子部品への負担を軽減することができることに加え、必要以上に冷却を継続しないから、最初の炊飯終了から次の炊飯開始までの時間を短縮することができ、決められた時間にさらに多くのご飯を炊飯することができる。
【００６３】
（実施例９）
発音手段３７は、使用者の聴覚に働きかけて認知させるものでブザー等により構成されている。蓋開閉検知手段３８は、炊飯器の蓋が開閉したことを検知するもので、マイクロコンピュータ２８に入力されている。他の構成は上記実施例２と同じであり、同一符号を付して説明を省略する。
【００６４】
上記構成において、図８を参照しながら動作を説明する。マイクロコンピュータ２８は、冷却開始スイッチ３３が押された時、蓋開閉検知手段３８により蓋が閉じているのを検知すると、誤った使用方法であることをブザー等により構成された発音手段３７により、報知を行うので、使用者が誤りに気付くことができる。
【００６５】
ここで、前記発音手段３７の代わりに発光ダイオードや液晶等、人の視覚に訴える表示手段を用いて使用者に報知を行っても良いし、前記発音手段３７と前記表示手段の両方を用いて、使用者に報知を行っても良い。
【００６６】
このように本実施例によれば、使用者が冷却をしようとしている時にうっかりして、蓋を開けるのを忘れた時には、使用者はそのことに気づき、うっかりミスにより冷却時間が長くなるのを防ぐことができる。そのことにより、使用者は安心して、冷却機能を使用することができる。
【００６７】
（実施例１０）
蓋開閉検知手段３８は、炊飯器の蓋が開閉したことを検知するもので、マイクロコンピュータ２８に入力されている。連続炊飯選択手段３９は、連続して炊飯を行うかどうかを選択するもので、操作手段３０に配置されている。他の構成は上記実施例８と同じであり、同一符号を付して説明を省略する。
【００６８】
上記構成において、図９を参照しながら動作を説明する。連続炊飯選択手段３９により連続炊飯を選択し、冷却開始スイッチ３３が押されると、マイクロコンピュータ２８は、本体冷却手段３１を動作させて、本体内部の冷却を開始し、時間計測手段３２により検知した冷却開始からの経過時間があらかじめ設定された閾値ｔ２を経過して、冷却を終了する時、蓋開閉検知手段３８により蓋が閉じているのを検知すると、炊飯動作を自動的に開始するので、連続炊飯時の最初の炊飯終了から次の炊飯開始までの時間を、極限まで短縮することができる。
【００６９】
また、冷却終了時に蓋が閉じているのを検知しなくても、その後、蓋が閉じるのを検知すれば、炊飯動作を自動的に開始するようにしても良い。
【００７０】
このように本実施例によれば、冷却終了から炊飯開始までを自動的に行うことができるので、連続炊飯時の冷却時間を大幅に短縮することができる。そのうえ、炊飯可能な状態にセットすれば、冷却終了と同時に炊飯が自動的に開始するので、炊飯器から離れて、別の作業をすることができ、時間を有効に活用することができる。
【００７１】
（実施例１１）
発音手段３７は、使用者の聴覚に働きかけて認知させるものでブザー等により構成されている。その他の構成は上記実施例９と同じであり、同一符号を付して説明を省略する。
【００７２】
上記構成において、図１０を参照しながら動作を説明する。連続炊飯選択手段３９により連続炊飯を選択し、冷却開始スイッチ３３が押されるとマイクロコンピュータ２８は、冷却を開始し、時間計測手段３２により検知した冷却開始からの経過時間があらかじめ設定された閾値ｔ２を経過すると、冷却を終了する。そして、時間計測手段３２により検知した冷却終了からの経過時間があらかじめ設定された閾値ｔ３を経過しても、蓋が開いた状態が続いていると、炊飯可能状態にセットするのを忘れていると判断し、ブザー等により構成された発音手段３７により、エラー報知を行うので、使用者が誤りに気付くことができる。ここで、エラー報知を行った後に、蓋開閉検知手段３８により蓋が閉じているのを検知すると、炊飯動作を自動的に開始するようにしても良い。
【００７３】
また、前記発音手段３７の代わりに発光ダイオードや液晶等、人の視覚に訴える表示手段を用いて使用者に報知を行っても良いし、前記発音手段３７と前記表示手段の両方を用いて、使用者に報知を行っても良い。
【００７４】
このように本実施例によれば、使用者が連続炊飯選択手段を選択して冷却を開始したにも関わらず、うっかりして、冷却動作終了時後、一定時間経過時点で、まだ炊飯可能状態にセットしていない時、使用者はエラー報知により気づき、うっかりミスにより炊飯開始が遅れるのを防ぐことができる。そのことで、使用者は、時間的なロスを最小限にすることができ、安心して連続炊飯機能を使用することができる。
【００７５】
（実施例１２）
鍋有無検知手段４０は、鍋２３が炊飯器にセットされているかどうかを検知するもので、検知結果をマイクロコンピュータ２８に入力している。他の構成は上記実施例２と同じであり、同一符号を付して説明を省略する。
【００７６】
上記構成において、図１１を参照しながら動作を説明する。マイクロコンピュータ２８は、炊飯開始スイッチ２９が押されて炊飯を開始する時には、鍋有無検知手段４０により、炊飯器に鍋２３がセットされているかどうかを検知する。冷却開始スイッチ３３が押された時には、鍋有無検知手段４０により炊飯器に鍋２３がセットされているかどうかの検知は行わないので、鍋２３が炊飯器にセットされていなくても冷却動作を行うことができる。
【００７７】
このように本実施例によれば、炊飯器に鍋をセットしていない状態で冷却を行うことができるので、その間に鍋を洗ったり、米を研ぐ等の次の炊飯に備えた作業を行うことができるので、連続炊飯時の最初の炊飯終了から次の炊飯開始までの時間をさらに短縮することができ、決められた時間にさらに多くのご飯を炊飯することができる。
【００７８】
（実施例１３）
鍋有無検知手段４０は、鍋２３が炊飯器にセットされているかどうかを検知するもので、検知結果をマイクロコンピュータ２８に入力している。他の構成は上記実施例９と同じであり、同一符号を付して説明を省略する。
【００７９】
上記構成において、図１２を参照しながら動作を説明する。マイクロコンピュータ２８は、連続炊飯選択手段３９により連続炊飯することを選択し、冷却開始スイッチ３３が押された時には、鍋有無検知手段４０により鍋２３が炊飯器にセットされているかどうかを検知するので、連続炊飯を行う時に鍋２３のセットを忘れた時には、すぐにそのことに気付くことができる。
【００８０】
このように本実施例によれば、使用者が連続炊飯を選択して冷却開始時に、うっかりして、炊飯可能状態にセットするのを忘れた時には、使用者はそのことに気づき、炊飯開始時に初めて鍋をセットし忘れていることに気付くといったことを防ぐことができる。そのことにより、使用者は安心して、連続炊飯機能を使用することができ、時間的ロスも最小限に抑えることができる。
【００８１】
（実施例１４）
冷却開始スイッチ３３は本体内部の冷却を開始させるもので操作手段３０に配置されている。他の構成は上記実施例６と同じであり、同一符号を付して説明を省略する。
【００８２】
上記構成において、図１３を参照しながら動作を説明する。マイクロコンピュータ２８は、炊飯中に冷却開始スイッチ３３が押されると、冷却開始スイッチ３３を受け付けずに炊飯を継続して、発音手段３７によりエラー報知を行い、使用者に無効なキー操作であることを知らせる。ここで、前記発音手段３７の代わりに発光ダイオードや液晶等、人の視覚に訴える表示手段を用いて使用者に報知を行っても良いし、前記発音手段３７と前記表示手段の両方を用いて、使用者に報知を行っても良い。
【００８３】
このように本実施例によれば、炊飯中に冷却開始スイッチを押すといった誤った使い方をした時には、発音手段により使用者に知らせるので、使用者はそのことに気付き、冷却機能に対する理解を深めるとともに、さらに冷却機能を有効に活用することができる。
【００８４】
（実施例１５）
連続炊飯選択手段３９は、連続して炊飯を行うかどうかを選択するもので、操作手段３０に配置されている。他の構成は上記実施例１と同じであり、同一符号を付して説明を省略する。
【００８５】
上記構成において、図１４を参照しながら動作を説明する。マイクロコンピュータ２８は、連続炊飯選択手段３９により連続炊飯を選択し、炊飯開始スイッチ２９が押されると、本体冷却手段３１を動作させて本体内部を冷却すると同時に規定の炊飯シーケンスに基づき、内蓋温度検知手段３２ａ、鍋底温度検知手段３２ｂおよび時間計測手段３２の検知値に応じて炊飯を行う。そして、炊飯が終了しても本体冷却手段３１による冷却を行う。
【００８６】
また、本体冷却手段３１による冷却は、炊飯動作開始前であっても良い。その時には、炊飯開始スイッチ２９が押されると、本体冷却手段３１を動作させて本体内部の冷却を行い、炊飯可能な状態になれば、炊飯動作を開始するように制御する。ここで炊飯可能な状態とは、時間計測手段３２により検知した冷却開始からの経過時間があらかじめ設定された閾値ｔ０を経過した時でも良いし、加熱手段２４を加熱制御するインバータ回路２５をオン／オフさせるＩＧＢＴなどから構成されるスイッチング素子の温度を検知するスイッチング素子温度検知手段を有してスイッチング素子温度検知手段により検知した値があらかじめ設定された閾値Ｔｓを下回った時でも良いし、本体内に配置され本体内部の雰囲気温度を検知する雰囲気温度検知手段を有して雰囲気温度検知手段により検知した値があらかじめ設定された閾値Ｔｆを下回った時でも良い。
【００８７】
このように本実施例によれば、連続炊飯選択手段により連続炊飯を選択し、炊飯開始スイッチにより炊飯を開始すれば、炊飯動作以外の時も本体内部の冷却を行うことができるので、本体内部の雰囲気温度や発熱部品の温度を短時間で下げることができ、炊飯終了直後でも、すぐに炊飯が可能な状態にすることができる。そして、連続して炊飯を行おうとした時には、最初の炊飯終了から次の炊飯開始までの時間を短縮することができ、決められた時間により多くのご飯を炊飯することができ、炊飯作業の生産性を大きく向上することができる。
【００８８】
（実施例１６）
表示手段４１は使用者の視覚に働きかけて認知させるもので発光ダイオードや液晶等により構成されている。他の構成は上記実施例１と同じであり、同一符号を付して説明を省略する。
【００８９】
上記構成において、図１５を参照しながら動作を説明する。図１５において、マイクロコンピュータ２８は、炊飯動作以外の時に本体冷却手段３１を動作させて本体内部を冷却している時には、本体冷却手段３１の動作状態を発光ダイオードや液晶等により構成されている表示手段４１に表示するようにする。また、炊飯動作時に本体冷却手段３１を動作させて本体内部を冷却している時には、本体冷却手段３１の動作状態を発光ダイオードや液晶等により構成されている表示手段４１に表示するようにしても良いのは明白である。
【００９０】
ここで本体冷却手段３１の動作状態の表示内容は、本体冷却手段３１が動作していることだけを表示手段４１に表示するようにしても良いし、本体冷却手段３１が動作していることと停止していることの両方を表示手段４１に表示するようにしても良い。
【００９１】
また、蓋冷却手段３４を有する場合、蓋冷却手段３４の動作状態を発光ダイオードや液晶等により構成されている表示手段４１に表示するようにしても良い。
【００９２】
このように本実施例によれば、本体冷却手段３１の動作状態を発光ダイオードや液晶等により構成されている表示手段４１に表示するので、目視により本体冷却手段３１の動作状態を容易に確認し、認知することができる。その結果、例えば、炊飯終了後も本体内部を冷却中の炊飯器を見て、勝手に本体冷却手段が動作していると使用者が誤解することを防止できるので、炊飯動作以外の時の本体冷却機能をより多くの使用者に認知させることができる。その結果、使用者の立場に立った、より使いやすい炊飯器を提供することができる。
【００９３】
【発明の効果】
以上のように、本発明の請求項１に記載の発明によれば、炊飯容器となる鍋と、前記鍋を加熱する加熱手段と、入力電流を制御する制御手段と、本体内部を冷却する本体冷却手段と、炊飯を開始させる炊飯開始スイッチを有する操作手段と、マイクロコンピュータとを備え、炊飯動作以外の時も前記本体冷却手段により本体内部の冷却をする機能を有するから、連続して炊飯を行おうとした時には、最初の炊飯終了から次の炊飯開始までの時間を短縮することができ、決められた時間に多くのご飯を炊飯することができる。
【００９４】
また、請求項２記載の発明によれば、冷却を開始させる冷却開始スイッチを操作手段に有し、炊飯動作以外の時に、前記冷却開始スイッチが押されると、本体冷却手段により本体内部を冷却するように制御する機能を有するものであり、連続して炊飯を行おうとした時には、最初の炊飯終了から次の炊飯開始までの時間をさらに短縮することができ、決められた時間にさらに多くのご飯を炊飯することができる。
【００９５】
また、請求項３記載の発明によれば、炊飯動作以外の時の本体冷却手段による冷却時間があらかじめ設定された時間を経過すると冷却を終了するように制御する機能を有するものであり、連続して炊飯を行おうとした時には、最初の炊飯終了から次の炊飯開始までの時間を短縮することができ、決められた時間に多くのご飯を炊飯することができる。
【００９６】
また、請求項４記載の発明によれば、蓋部分に蓋冷却手段を備え、冷却動作時には、蓋冷却手段および本体冷却手段を動作させて、蓋部分および本体内部を冷却し、あらかじめ設定された時間が経過すると、冷却を終了するように制御する機能を有するものであり、連続して炊飯を行おうとした時には、最初の炊飯終了から次の炊飯開始までの時間をさらに短縮することができ、決められた時間にさらに多くのご飯を炊飯することができる。
【００９７】
また、請求項５記載の発明によれば、加熱コイルにより構成した加熱手段と、加熱手段を加熱するインバータ回路と、インバータ回路をオン／オフするスイッチング素子の温度を検知するスイッチング素子温度検知手段を備え、冷却動作時には、本体冷却手段を動作させて、本体内部を冷却し、前記スイッチング素子温度検知手段により検知した温度があらかじめ設定された閾値を下回ると、冷却を終了するように制御する機能を有するものであり、発熱部品のうち最も温度上昇が大きい部品の一つであるスイッチング素子の温度が炊飯できる温度に下がったことを検知して、冷却を終了するので、電子部品への負担も軽減することができ、そのうえ、最初の炊飯終了から次の炊飯開始までの時間をさらに短縮することができ、決められた時間にさらに多くのご飯を炊飯することができる。
【００９８】
また、請求項６記載の発明によれば、本体内部の雰囲気温度を検知する雰囲気温度検知手段を備え、冷却動作時には、本体冷却手段を動作させて、本体内部を冷却し、前記雰囲気温度検知手段により検知した温度があらかじめ設定された閾値を下回ると、冷却を終了するように制御する機能を有するものであるから、電子部品への負担も軽減することができ、そのうえ、最初の炊飯終了から次の炊飯開始までの時間をさらに短縮することができ、決められた時間にさらに多くのご飯を炊飯することができる。
【００９９】
また、請求項７記載の発明によれば、使用者の聴覚に働きかけて認知させる発音手段を備え、冷却が終了すると、発音手段により使用者に報知するように制御する機能を有するものであるから、使用者が炊飯器から離れていても発音手段により知らせてくれ、冷却を行っている間に別の作業をすることができ、時間を非常に有効に使用することができる。
【０１００】
また、請求項８記載の発明によれば、あらかじめ設定された時間が経過し、かつ、スイッチング素子温度検知手段と、雰囲気温度検知手段により検知した値のうち、いずれかの検知値が、あらかじめ設定された閾値を下回ると、冷却を終了するように制御する機能を有するものであるから、冷却を終了するべきタイミングを時間のみあるいは温度のみではなく、時間と温度の両方があらかじめ設定された値に達した時としているので、冷却終了のタイミングに対する信頼性がさらに向上し、発熱部品に負担をかけることがないので、炊飯器の寿命を長くすることができる。また、より安価な部品を使用することができるので、炊飯器を安価に提供することができる。
【０１０１】
また、請求項９記載の発明によれば、蓋の開閉を検知する蓋開閉検知手段と、使用者の聴覚に働きかけて認知させる発音手段を備え、冷却開始スイッチを押して冷却を開始し、前記蓋開閉検知手段により蓋が閉じているのを検知した時、前記発音手段によりエラー報知を行い、使用者に知らせる機能を有するものであるから、使用者が冷却をしようとしている時にうっかりして、蓋を開けるのを忘れた時には、前記発音手段により使用者にエラー報知を行うことにより、使用者はそのことに気づき、うっかりミスにより冷却時間が長くなるのを防ぐことができる。そのことにより、使用者は安心して、冷却機能を使用することができる。
【０１０２】
また、請求項１０記載の発明によれば、連続して炊飯動作を行うかどうかを選択する連続炊飯選択手段を有し、前記連続炊飯選択手段により、連続炊飯を選択し、冷却開始スイッチを押すと、冷却動作終了後、蓋開閉検知手段により蓋が閉じられているのを検知すると、自動的に炊飯を開始する機能を有するものであるから、連続炊飯時に最初の炊飯終了から次の炊飯開始までの時間を極限までに短縮することができる。
【０１０３】
また、請求項１１記載の発明によれば、連続炊飯選択手段により、連続炊飯を選択し、冷却開始スイッチを押すと、冷却動作終了後、あらかじめ設定された時間が経過しても、蓋開閉検知手段により蓋が閉じられたのを検知しない時、発音手段により使用者に報知する機能を有するものであるから、使用者がうっかりして蓋を閉じるのを忘れていた時には、使用者はそのことに気づき時間的なロスを最小限に抑えることができる。
【０１０４】
また、請求項１２記載の発明によれば、鍋が炊飯器にセットされているかどうかを検知する鍋有無検知手段を有し、冷却開始スイッチが押された時には、前記鍋有無検知手段による鍋の有無を検知しない機能を有するものであるから、炊飯器に鍋をセットしていない状態で冷却を行うことができ、その間に鍋を洗ったり、米を研ぐ等の次の炊飯に備えた作業を行うことができるので、連続炊飯時の最初の炊飯終了から次の炊飯開始までの時間をさらに短縮することができ、決められた時間にさらに多くのご飯を炊飯することができる。
【０１０５】
また、請求項１３記載の発明によれば、連続炊飯選択手段により連続炊飯を選択し、冷却開始スイッチが押された時には、鍋有無検知手段により鍋の有無を検知する機能を有するものであるから、うっかりして鍋をセットし忘れた時でも、炊飯開始時までそのことに気づかないのではなく、すぐに気づくことができるので、鍋をセットしているつもりが全然できていなかったということを防止することができ、うっかりミスをした時の時間的ロスを最小限に抑えることができる。
【０１０６】
また、請求項１４記載の発明によれば、炊飯中に冷却開始スイッチが押された時には、発音手段によりエラー報知を行い、使用者に報知し、炊飯動作を継続する機能を有するものであるから、使用者が誤った使用をした時には注意をうながすので、使用者はそのことに気づくことができ、冷却機能を有効に活用することができる。
【０１０７】
また、請求項１５記載の発明によれば、連続して炊飯動作を行うかどうかを選択する連続炊飯選択手段を有し、前記連続炊飯選択手段により、連続炊飯を選択し、炊飯開始スイッチを押して炊飯を開始すると、炊飯動作以外の時も前記本体冷却手段による本体内部の冷却を行うように制御する機能を有するものであり、連続して炊飯を行おうとした時には、最初の炊飯終了から次の炊飯開始までの時間をさらに短縮することができ、決められた時間にさらに多くのご飯を炊飯することができる。
【０１０８】
また、請求項１６記載の発明によれば、発光ダイオードや液晶等、人の視覚に訴える表示手段を有し、本体冷却手段の動作状態を前記表示手段に表示する機能を有するものであり、本体冷却手段の動作状態が目視により容易に確認することができ、使用者の立場に立った、より使いやすい炊飯器を提供することができる。
【図面の簡単な説明】
【図１】本発明の第１の実施例の炊飯器のブロック図
【図２】本発明の第２の実施例の炊飯器のブロック図
【図３】本発明の第４の実施例の炊飯器のブロック図
【図４】本発明の第５の実施例の炊飯器のブロック図
【図５】本発明の第６の実施例の炊飯器のブロック図
【図６】本発明の第７の実施例の炊飯器のブロック図
【図７】本発明の第８の実施例の炊飯器のブロック図
【図８】本発明の第９の実施例の炊飯器のブロック図
【図９】本発明の第１０の実施例の炊飯器のブロック図
【図１０】本発明の第１１の実施例の炊飯器のブロック図
【図１１】本発明の第１２の実施例の炊飯器のブロック図
【図１２】本発明の第１３の実施例の炊飯器のブロック図
【図１３】本発明の第１４の実施例の炊飯器のブロック図
【図１４】本発明の第１５の実施例の炊飯器のブロック図
【図１５】本発明の第１６の実施例の炊飯器のブロック図
【図１６】従来の炊飯器のブロック図
【符号の説明】
２１　商用電源
２３　鍋
２４　加熱手段
２７　制御手段
２８　マイクロコンピュータ
２９　炊飯開始スイッチ
３０　操作手段
３１　本体冷却手段
３２　時間計測手段
３３　冷却開始スイッチ
３４　蓋冷却手段
３５　スイッチング素子温度検知手段
３６　雰囲気温度検知手段
３７　発音手段
３８　蓋開閉検知手段
３９　連続炊飯選択手段
４０　鍋有無検知手段
４１　表示手段
【図１】
2004089250.tif 000003
【図２】
2004089250.tif 000004
【図３】
2004089250.tif 000005
【図４】
2004089250.tif 000006
【図５】
2004089250.tif 000007
【図６】
2004089250.tif 000008
【図７】
2004089250.tif 000009
【図８】
2004089250.tif 000010
【図９】
2004089250.tif 000011
【図１０】
2004089250.tif 000012
【図１１】
2004089250.tif 000013
【図１２】
2004089250.tif 000014
【図１３】
2004089250.tif 000015
【図１４】
2004089250.tif 000016
【図１５】
2004089250.tif 000017
【図１６】
2004089250.tif 000018